(57)【要約】表面にＬＥＤ発光素子１３を実装したＬＥＤ実装ベース１１と、該ＬＥＤ実装ベース１１の裏面側に固定された放熱部２０から成るＬＥＤ照明装置であって、該放熱部２０が、一端側が前記ＬＥＤ実装ベース１１により封止された、内部にシリコンオイル等の冷却液を封入した密閉空間（電子回路収納部２２）を有するコア部２３と、該コア部２３の周囲に設けられた放熱フィン２１とを備えることを特徴とするもの。これにより、大型の水銀灯照明装置と形状が概ね同等であって、重量増加をできるだけ少なくしつつＬＥＤ発光素子からの発熱を効率よく放熱可能なＬＥＤ照明装置を提供することができる。なお、電子回路収納部２２内には、ＬＥＤ発光素子１３に供給する電力を生成するための電気回路を収納しておくことができる。また、冷却液は電子回路収納部２２内を完全に満たすのではなく、その膨張を吸収するための僅かな空間を空けておくことが望ましい。
2011055659.tif 000002
【特許請求の範囲】
【請求項１】
表面にＬＥＤ発光素子を実装したＬＥＤ実装ベースと、放熱部から成るＬＥＤ照明装置であって、
該放熱部が、
a)前記ＬＥＤ実装ベースの裏面側に固定され、内部に冷却液を封入した密閉空間を有する冷却液封入部と、
b)該冷却液封入部の外面に設けられた放熱フィンと、
を備えることを特徴とするＬＥＤ照明装置。
【請求項２】
前記冷却液封入部の密閉空間内に前記冷却液が完全には満たされていないことを特徴とする請求項１に記載のＬＥＤ照明装置。
【請求項３】
前記冷却液封入部の密閉空間内の気圧が常温において負圧となっていることを特徴とする請求項２に記載のＬＥＤ照明装置。
【請求項４】
前記冷却液封入部に封入された状態における前記冷却液の沸点が、前記ＬＥＤ発光素子の点灯時におけるＬＥＤ実装ベースの到達温度の上限値よりも低いことを特徴とする請求項２又は３に記載のＬＥＤ照明装置。
【請求項５】
前記ＬＥＤ実装ベースに固定されている箇所の冷却液封入部の内側に、前記冷却液との接触面積を増大させるための凹凸が設けられていることを特徴とする請求項１〜４のいずれかに記載のＬＥＤ照明装置。
【請求項６】
前記ＬＥＤ実装ベースに固定されている箇所の冷却液封入部の内側に、前記冷却液側に突出するヒートパイプが設けられていることを特徴とする請求項１〜５のいずれかに記載のＬＥＤ照明装置。
【請求項７】
更に、前記ＬＥＤ発光素子又はＬＥＤ実装ベース又はそれらの近傍に設けられた温度センサと、該温度センサの検出値に基づき、前記ＬＥＤ発光素子に供給する電流を調節する電流調節手段と、を備えることを特徴とする請求項１〜６のいずれかに記載のＬＥＤ照明装置。
【請求項８】
更に、前記ＬＥＤ発光素子又はＬＥＤ実装ベース又はそれらの近傍に設けられた温度センサと、該温度センサの検出値に基づき、前記ＬＥＤ発光素子を点滅させる点滅制御手段と、を備えることを特徴とする請求項１〜６のいずれかに記載のＬＥＤ照明装置。
【請求項９】
前記冷却液封入部の内部に、前記ＬＥＤ発光素子を駆動させるための電気回路の少なくとも一部が収納されていることを特徴とする請求項１〜８のいずれかに記載のＬＥＤ照明装置。
【発明の詳細な説明】
【技術分野】
【０００１】
本発明は、エネルギー効率の低い白熱電球や水銀灯と置換して使うことを目的に、近年急速に普及しつつあるＬＥＤ電球に関する。
【背景技術】
【０００２】
エネルギー効率の悪い従来型照明装置のうち、白熱電球やハロゲン電球については、それに代わり得る多種多様のＬＥＤ電球が製造販売されているが、工場や大型店舗、倉庫、体育館などにおいて多数使用されている、天井から吊り下げたり、天井や壁に埋め込んで使用される大電力大光量の水銀灯については、ＬＥＤから発生する大量の熱を放熱することが困難なため、それに全面的に置き換わるべきＬＥＤ照明装置は未だ開発されておらず、一般的な水銀灯照明器具と同等な形状では２００Ｗ以下のものしか出荷されていない。【０００３】
また水銀灯は、それ自体の効率が５０ルーメン／Ｗとあまり高くない上、点灯後実用照度に達するまでに数分を要し、更に、消灯後再点灯するまで相当な時間を待つ必要があることなど、頻繁にＯＮ／ＯＦＦできない点でも、省エネしにくいため、市場は水銀灯に代る省エネ性の高い大型ＬＥＤ照明装置の提供を望んでいる。【０００４】
特許文献１には、ＬＥＤランプにヒートシンクを取り付けたＬＥＤ照明装置が記載されている。このＬＥＤ照明装置では、ファンによりヒートシンクを空冷している。
【先行技術文献】
【特許文献】
【０００５】
【特許文献１】特開2005-158746号公報
【発明の概要】
【発明が解決しようとする課題】
【０００６】
現在、容易に入手できるＬＥＤ発光素子の効率は概ね８０ルーメン／Ｗであるため、ＬＥＤ照明装置の照度を、既存の４００Ｗ水銀灯の平均的な照度である２万ルーメン並とするためには、計算上、ＬＥＤに概ね２５０Ｗの電力を投入する必要がある。実際は、水銀灯が周囲３６０度に光を放射するのに対して、ＬＥＤ発光素子の放射は半球内に絞られるためその分照明効率が高く、実際に必要な電力は２００Ｗ以下でよい。【０００７】
しかし、ＬＥＤに２００Ｗの電力を投入すると、その内の概ね７０％が熱に変わるため、１４０Ｗの熱が発生する。ＬＥＤ発光素子は一般的に長寿命と言われているが、熱には弱く、製法や素材などによるが、点灯時のＬＥＤ発光素子の温度を１００℃程度に保てれば４万時間以上の寿命が期待できるものの、その温度が１０度上がるごとに略１／２になると言われている。従って、前記のような１４０Ｗのヒーターに相当する発熱を効率良く放熱し、ＬＥＤ発光素子の温度を下げることが当該ＬＥＤ照明の寿命を左右することになる。【０００８】
発熱が広い面積から生じるのであればその冷却は困難ではないが、水銀灯に代替するＬＥＤ照明装置の場合は発光体の大きさも概ね水銀灯と同等にする必要があるため、直径約１０ｃｍ程度の面積から１４０Ｗの熱が生じることになる。【０００９】
この熱量を、同じ直径１０ｃｍの、熱抵抗が２３６Ｗ／ｍ・Ｋのアルミニウムを通じて放熱機構に導く場合は、その長さを１０ｃｍとすると、両端に７．５度の温度差が生じることになる。しかし、実際に直径１０ｃｍの無垢のアルミニウムを熱伝導体に使い、その長さを１０ｃｍとすると、熱伝導体の重量は２ｋｇ以上になり、重量とコスト面で現実的ではない。ここで、直径を５ｃｍとすると重量は０．５ｋｇ程度となり、重量・コスト面では実現可能なレベルとなるが、両端の温度差は３０度に達し、ＬＥＤ発光素子の寿命を１／８に縮めることになる。【００１０】
また、特許文献１のようにファンによる空冷を行う場合、ファンのための電力が別途必要となるため、エネルギー効率が低下する他、ファンやそのモータのための設備、空間が必要となり、照明装置が大型化する。また、埃やクモの巣などの異物を吸引することによる放熱能力の低下やファンモータの故障など、耐久性についても不安要素が増えることになる。【００１１】
本発明が解決しようとする課題は、社会で多用されている大型の水銀灯照明装置にも代替し得る、形状が概ね同等であって、重量増加をできるだけ少なくしつつＬＥＤ発光素子からの発熱を効率よく放熱することができるＬＥＤ照明装置を提供することである。
【課題を解決するための手段】
【００１２】
上記課題を解決するために成された本発明に係るＬＥＤ照明装置は、表面にＬＥＤ発光素子を実装したＬＥＤ実装ベースと、放熱部から成るＬＥＤ照明装置であって、
該放熱部が、
a)該ＬＥＤ実装ベースの裏面側に固定され、内部に冷却液を封入した密閉空間を有する冷却液封入部と、
b)該冷却液封入部の周囲に設けられた放熱フィンとを備えることを特徴とするものである。
【発明の効果】
【００１３】
本発明は、ＬＥＤ発光素子から生じる熱を、ＬＥＤ実装ベース、及び、その裏面側に接触する冷却液を介して放熱フィンに導くため、効率よく発散させることができる。ここで、冷却液封入部内で冷却液が対流を起こすような状態とすることにより、ＬＥＤ発光素子の熱はより効率良く放熱フィンに伝達されるようになる。【００１４】
また、冷却液封入部の内部に（冷却液に浸漬した状態で）本ＬＥＤ照明装置の電源回路や制御回路等、ＬＥＤ発光素子を駆動させるための電気回路を収納することができるため、本発明に係るＬＥＤ照明装置はスペース効率がよい。もちろん、この電気回路自体が冷却液に浸漬されているため、電気回路の全体から発する熱が効率よく放出される。従って、一般の電源回路や電子回路に必要な放熱体やそれに接続する構造体も不要となり、電気回路のサイズを最小化することができるほか、本ＬＥＤ照明装置の安定した動作が保証される。なお、ＬＥＤ発光素子を駆動させるための電気回路は、全て冷却液封入部内に収納してもよいし、一部のみを収容してもよい。【００１５】
なお、冷却液封入部の中には、冷却液を完全に満たすのではなく、少しの空間を残しておくことが望ましい。これにより、冷却液の温度が上昇したとき、その膨張による冷却液封入部内の圧力上昇を緩和することができる。この点で、冷却液封入部内の冷却液を満たさない空間の気圧は、常温において負圧（できれば、真空に近く）となるようにしておくことが望ましい。【００１６】
ＬＥＤ実装ベースから冷却液への熱伝達を良好にするために、ＬＥＤ実装ベースの裏面側に凹凸を設け、両者の接触面積を大きくすることが望ましい。凹凸は、同心のリング状や多数の立設ピン状など、どのようなものであってもよい。また、更に両者の熱伝達を良好にするために、それらの凹凸とは別に、或いはそれらの凹凸に加えて、ヒートパイプをＬＥＤ実装ベースの裏面から突出するように設けることが望ましい。【００１７】
上記の放熱手段が十分に功を奏さない場合（例えば、上記ＬＥＤ照明装置が、重力方向に関して、ＬＥＤ実装ベースが上部、冷却液が下部となったとき、上記のような冷却液内の対流による熱伝達効果は減殺されることになる）のことを考慮して、本発明に係るＬＥＤ照明装置には、ＬＥＤ発光素子の温度上昇を検出するためのセンサを設け、それにより検出されるＬＥＤ発光素子の温度に応じて、ＬＥＤ発光素子に供給する電力を制限するようにしてもよい。この電力の制限は、ＬＥＤ発光素子に供給する電流の調節で行ってもよいし、ＬＥＤ発光素子を点滅させることにより行ってもよい。なお、このセンサは、ＬＥＤ発光素子自体に設けてもよいし、ＬＥＤ実装ベースやその近傍に設けてもよい。
【図面の簡単な説明】
【００１８】
【図１】本発明の実施例である吊り下げ型ＬＥＤ照明装置の縦断面図（Ａ）及び同図Ｘ−Ｘ'線における横断面図（Ｂ）。
【図２】放熱兼電装部の他の例を示す横断面図。
【図３】放熱兼電装部の更に他の例を示す横断面図。
【図４】同実施例の発光部の縦断面図。
【図５】ＬＥＤ実装基板の突起部の一例を示す斜視図。
【図６】ＬＥＤ実装基板の突起部の他の例を示す斜視図。
【図７】ＬＥＤ実装基板の突起部の更に他の例を示す斜視図。
【図８】本発明の別の実施例である埋め込み型ＬＥＤ照明装置の縦断面図。
【図９】本発明の更に別の実施例である街路灯型ＬＥＤ照明装置の縦断面図（Ａ）、平面図（Ｂ）、正面図（Ｃ）及び側面図（Ｄ）。
【図１０】上記吊り下げ型ＬＥＤ照明装置の別の構成例を示す縦断面図。
【発明を実施するための形態】
【００１９】
本発明の実施例を図を用いて説明する。
図１は本発明の代表的な実施例である吊り下げ型ＬＥＤ照明装置を示したもので、図１（Ａ）は同照明装置の縦断面図（図１（Ｂ）のＹ−Ｙ’線断面図）であり、図１（Ｂ）は図１（Ａ）のＸ−Ｘ’線断面図である。
【００２０】
本ＬＥＤ照明装置の中心部には発光部１０があり、発光部１０は、図４に示すように、例えばアルミニウム、銅等の熱伝導性の高い素材から成るＬＥＤ実装ベース１１と、同ＬＥＤ実装ベース１１に熱的に固定されたＬＥＤ実装基板１２と、同ＬＥＤ実装基板１２上に実装した多数のＬＥＤ発光素子１３とで構成される。更に、雨や埃、虫等からＬＥＤ発光素子１３を守る為に、図１（Ａ）に示すように、透明若しくは半透明の樹脂やガラスにより構成されるバリア１４を、ＬＥＤ実装基板１２を囲うように、ＬＥＤ実装ベース１１上に付加する方が良い。なお、ＬＥＤ実装ベース１１から見てＬＥＤ発光素子１３側を以後「前方」と呼び、その反対方向を「後方」と呼ぶ。
【００２１】
ＬＥＤ実装ベース１１の外周側には、前方に開く円錐台状の反射鏡１９が取り付けられていて、発光部１０が発する光を必要な方向に反射する。同反射鏡１９の素材をアルミニウムのように熱伝導性の高い素材にすることにより、同反射鏡１９はＬＥＤ発光素子１３の熱を前方に逃がす放熱機構としての働きを兼ねることが出来る。
【００２２】
発光部１０の後方（図１（Ａ）において上部）にはアルミニウムの押し出し材等から成る放熱兼電装部２０がある。同放熱兼電装部２０は、図１（Ｂ）に示すように、中心部にある薄肉円筒状のコア部（冷却液封入部）２３と、その周囲に放射状に多数設けられた、表面積を拡大し輻射と空気への伝熱及び空気の対流による放熱を効率良く行うための放熱フィン２１から成る。コア部２３の内部の空間は、商用電源の交流電流をＬＥＤ発光素子１３を点灯するための直流電流に変換する電子回路を収納する電子回路収納部２２となっている。同電子回路収納部２２は、下端が前述したＬＥＤ実装ベース１１で密封され、上端は上部封止体３０により閉じられ、密閉された空間となっている。同空間にはシリコン油のように絶縁性能が高く化学的に安定し燃えない冷却液が封入されている。
この冷却液として、沸点が５０℃から８０℃程度の低沸点液を使用する方法もある。これにより、ＬＥＤ発光素子１３の熱を吸収して気化し、放熱フィン２１にその熱を伝達して液化するという熱伝達サイクルの繰り返しが可能となり、更に効率よくＬＥＤ発光素子１３の熱を逃がすことができるようになる。
【００２３】
本実施例では、上部封止体３０は周囲にＯリングのようなシール３１を持つ樹脂等でできた封止体３２と、同封止体３２を保持し上部封止体３０を放熱兼電装部２０に取り付ける金属部材３３により構成される。同金属部材３３には、溶接若しくはネジ止めされた金具３４を経て吊り下げ金具３５がネジ及びナットで固定され、同吊り下げ金具３５により本ＬＥＤ照明装置は建物の天井等から吊り下げられる。
【００２４】
電子回路収納部２２に冷却液を封入するにあたって、空間を完全に冷却液で満たすと、空間を構成する金属等と冷却液の熱膨張率の違いにより大きな圧力が生じ、中の冷却液が漏れだす等の不具合が生じやすいため、僅かな空間部を設けた方が良い。本実施例においては、図１（Ａ）において封止体３２の下面に設けられた凹部３６がこの空間部を提供している。この空間部も常圧の空気が満たされると、同空気の熱膨張により圧力の変化を生じる為、常温（５〜３５℃）において負圧となるようにする（常圧より減圧する）か概真空にすると良い。
【００２５】
このような減圧空間を設ける方法として、上記のような凹部３６を設ける方法の他に、次のような方法もある。少量の空気等を封入した柔軟なプラスチックシートから成る密閉袋を上記電子回路収納部２２に入れておいた状態で、電子回路収納部２２内に冷却液を満たす。その後、冷却液を少量、電子回路収納部２２から吸い出すと、密閉袋は膨張して、内部が減圧状態となる。これにより、冷却液が温度上昇により膨張しても、この密閉袋がその膨張を吸収することができるようになる。
【００２６】
次に、ＬＥＤ実装ベース１１の後方面（冷却液と接触する側）には、図４〜図７に示すように、電子回路収納部２２の内径よりもやや小さい外径を有する、低いテーブル状の突起部１５が設けられ、その周囲にはＯリング等によるシール材１５ａが設けられている。このシール材１５ａがＬＥＤ実装ベース１１の突起部１５と電子回路収納部２２の内壁の間を密閉することにより、電子回路収納部２２の下端を封止している。
【００２７】
このＬＥＤ実装ベース１１の突起部１５が冷却液と接触する部分には、接触面積を拡大するために図５に示すリング状のフィン１６、若しくは、図６に示すピン状の突起物１７が設けられ、ＬＥＤ発光素子１３が発生した熱をＬＥＤ実装ベース１１を経て冷却液に効率良く伝えている。
【００２８】
この結果、ＬＥＤ発光素子１３による発熱は、ＬＥＤ実装ベース１１を経て、その上方にある冷却液に効率的に伝わる。同冷却液は、下側が熱せられることにより内部に対流が生じ、これにより熱を速やかに上方に運び、周囲及び上部にある大面積の放熱フィン２１を介して大気に放熱する。前述の通り、この冷却液に沸点が５０℃から８０℃程度の低沸点液を用いることにより、この液体の気化−液化サイクルによる伝熱がこれに加わり、より効率良く放熱することができる。
この際、図２のように、放熱兼電装部２０のコア部２３の肉厚を厚くし、ＬＥＤ実装ベース１１から直接放熱兼電装部２０に熱を伝え、同肉厚のコア部２３を利用して上方及び周囲の放熱フィン２１に熱を伝えることもできるが、冷却液の対流による伝熱に比べ固体伝熱は熱抵抗が大きく、上部と下部で温度差が生じやすい。
【００２９】
コア部２３の肉厚を更に（特に外側に向けて）厚くすることにより温度差を小さくすることもできるが、重量が増え、コストが上昇する上に、コア部２３の外径が大きくなることにより、単位長さあたりの放熱フィン２１の表面積をそのまま保持しようとすると、放熱兼電装部２０は益々大型化することになる。
【００３０】
また、図３に示すようにコア部２３を中実にすることにより、大型化せず冷却能力を高めることもできるが、重量とコストが増え、また、電子回路を外部に実装する必要があるため、更に重量・サイズ・コスト共に増大することになる。
【００３１】
なお、図１では、放熱兼電装部２０のコア部２３が開口部を有しており、該開口部をＬＥＤ実装ベース１１によって封止することによってコア部２３の内部に密閉空間を形成する構成を示したが、これに限らず、例えば、冷却液を収容したコア部２３を予め密閉状態としておき、該コア部２３の外壁面にＬＥＤ実装ベース１１を固定するようにしてもよい。この場合、上記のリング状のフィン１６又はピン状の突起物１７のような、冷却液との接触面積を増大させるための凹凸は、コア部２３の実装ベース１１が固定されている面の裏側（すなわち、コア部２３の内壁面）に設けるものとする。
【００３２】
上述した説明は、当該照明装置を図１（Ａ）のように配置した場合について説明したが、これを天地逆に設置すると、冷却液が電子回路収納部２２に完全に満たされてない場合には突起部１５と冷却液の接触面積が減少するほか、完全に満たされている場合でも冷却液の上部が加熱されることになるため、冷却液に対流が発生せず、熱の伝達能力が著しく低下することになる。
【００３３】
この問題点を解決する第一の方法は、設置方向の違いによって生じる温度上昇を、ＬＥＤ発光素子１３の近傍又はＬＥＤ実装ベース１１上、あるいは、電子回路収納部２２内に設けた電子回路のＬＥＤ発光素子側に近い箇所に設けたセンサで検出し、ＬＥＤ発光素子１３に流す電流を低減することである。これにより、ＬＥＤ発光素子１３の温度を規定値内に抑えることができる。
【００３４】
第二の方法は、ＬＥＤ発光素子１３に流す電流を減らす代わりに、ＬＥＤ発光素子１３を短い周期で点滅させることにより、実質的な電力を低減することである。この方法を用いると、発光の点滅により、使用者に温度の異常上昇が発生していることを告知することもできる。なお、温度の高低により点滅の間隔（リズム）を変えるようにしてもよい。
【００３５】
第三の方法は、図７に示すように、ＬＥＤ実装ベース１１と冷却液との伝熱に、１本ないし複数本のヒートパイプ１８を使う方法である。同ヒートパイプ１８の長さを十分長くすることにより、ＬＥＤ照明装置の取り付け方向が変わり、冷却液の対流による伝熱効果が減少しても、それを補う程度の伝熱効果を得ることができ、その結果、放熱フィン２１による冷却との温度差により対流が生じて十分な冷却効果を得ることが出来る。
【００３６】
以上の説明は吊り下げ型のＬＥＤ照明装置を例にしたが、図８に示すように反射鏡１９の形状を変えたり、金具類を変更することにより、天井に埋め込んで使用するダウンライト等の多くの形態のＬＥＤ照明装置に利用できる。
【００３７】
さらに、街路灯のようにデザイン性を要求され、デザイン上ＬＥＤ実装部と放熱部を近接配置できないような照明器具においても、その熱の伝達に液体を使用することにより、熱を効率よく伝達し、放熱することができる。そのような例を図９に示す。この街路灯型ＬＥＤ照明装置では、図９（Ａ）に示すように、下方に向けて光を放射する発光部４０の後方（図では上部）に冷却液封入部５２が固定され、その冷却液封入部５２の上部に放熱フィン５１が設けられている。なお、この例では電子回路（電子回路実装部５３）は冷却液封入部５２の内部ではなく、その外に設けられている。図９（Ｂ）〜（Ｄ）は本実施例の平面図、正面図、側面図であり、図９（Ａ）における記号４４は透明バリア、５４は下部カバーである。
【００３８】
なお、上記で言及したように、本発明のＬＥＤ照明装置は、冷却液の気化−液化サイクルによる伝熱を行う構成とすることもできる。この場合の構成例を図１０に示す。なお、図１と同一又は対応する構成については、同一符号を付し、適宜説明を省略する。
【００３９】
図１０に示すＬＥＤ照明装置において、コア部（冷却液封入部）２３の内部空間２５には少量（常温下において内部空間２５の容積の半分以下の体積）の冷却液２４が封入されている。また、前記内部空間２５は、冷却液２４の沸点がＬＥＤ発光素子１３を常温下で点灯させた場合におけるＬＥＤ実装ベース１１の到達温度の上限値よりも低い温度（１００℃未満、望ましくは５０℃〜８０℃程度）となるように、適当な真空度に維持されている。
【００４０】
このような構成において、ＬＥＤ発光素子１３の点灯により生じた熱は、ＬＥＤ実装ベース１１を経て冷却液２４に伝達される。そして、その熱によって冷却液２４が沸騰し、該冷却液２４の蒸気が内部空間２５の上方へと移動する（図中の白い矢印）。その過程で該蒸気の熱が放熱フィン２１に伝達され、その結果、冷却液２４が液化して内部空間２５の下部へと戻る（図中の黒い矢印）。すなわち、この構成例は、コア部２３全体をヒートパイプとして機能させるものであり、前記のような熱伝導サイクルが繰り返されることにより、一層効率良くＬＥＤ発光素子１３の熱を逃がすことが可能となる。
【００４１】
この構成例においても、コア部２３の内部空間２５には、ＬＥＤ発光素子１３を駆動させるための電気回路の一部又は全てを収容することができる。なお、前記冷却液２４の種類は特に限定されるものではないが、内部空間２５に電気回路を収容することを考慮すると、絶縁抵抗が高く、不燃性の液体を用いることが望ましい。このような液体としては、例えば、フッ素系不活性液体であるフロリナート（住友スリーエム株式会社製）などを好適に用いることができる。
【００４２】
なお、上記のような冷却液の気化−液化サイクルによる伝熱を行う構成では、冷却液の沸点を下げるためにコア部２３の内部空間２５を比較的高い真空度とする必要がある。そのため、図１、４で示したようなシール材１５ａ、３１を用いる代わりに、筒状のコア部２３の両端にそれぞれＬＥＤ実装ベース１１の突起部１５、及び封止体３２を圧入、接着、又は溶接することによって内部空間２５の密閉性を確保する構成とすることが望ましい。これにより、高い真空度を長期間に亘って維持することが可能となる。
【符号の説明】
【００４３】
１０…発光部
１１…ＬＥＤ実装ベース
１２…ＬＥＤ実装基板
１３…ＬＥＤ発光素子
１４…バリア
１５…突起部
１５ａ…シール材
１６…フィン
１７…ピン状突起物
１８…ヒートパイプ
１９…反射鏡
２０…放熱兼電装部
２１…放熱フィン
２２…電子回路収納部
２３…コア部
２４…冷却液
２５…内部空間
３０…上部封止体
３２…封止体
３３…金属部材
３４…金具
３５…吊り下げ金具
３６…冷却液膨張吸収用凹部
４０…発光部
４１…電子回路実装部
４４…バリア
５１…放熱フィン
５２…冷却液封入部
５３…電子回路実装部
５４…下面カバー
【図１】
2011055659.tif 000003
【図２】
2011055659.tif 000004
【図３】
2011055659.tif 000005
【図４】
2011055659.tif 000006
【図５】
2011055659.tif 000007
【図６】
2011055659.tif 000008
【図７】
2011055659.tif 000009
【図８】
2011055659.tif 000010
【図９】
2011055659.tif 000011
【図１０】
2011055659.tif 000012
【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
表面にＬＥＤ発光素子を実装したＬＥＤ実装ベースと、放熱部から成るＬＥＤ照明装置であって、
該放熱部が、
a)一方の端面において前記ＬＥＤ実装ベースの裏面側に固定され、内部に冷却液を封入した密閉空間を有する筒状の冷却液封入部と、
b)該冷却液封入部の外側面に設けられた放熱フィンと、
を備えることを特徴とするＬＥＤ照明装置。
【請求項２】
前記冷却液封入部の密閉空間内に前記冷却液が完全には満たされていないことを特徴とする請求項１に記載のＬＥＤ照明装置。
【請求項３】
前記冷却液封入部の密閉空間内の気圧が常温において負圧となっていることを特徴とする請求項２に記載のＬＥＤ照明装置。
【請求項４】
前記冷却液封入部に封入された状態における前記冷却液の沸点が、前記ＬＥＤ発光素子の点灯時におけるＬＥＤ実装ベースの到達温度の上限値よりも低いことを特徴とする請求項２又は３に記載のＬＥＤ照明装置。
【請求項５】
前記ＬＥＤ実装ベースに固定されている箇所の冷却液封入部の内側に、前記冷却液との接触面積を増大させるための凹凸が設けられていることを特徴とする請求項１〜４のいずれかに記載のＬＥＤ照明装置。
【請求項６】
前記ＬＥＤ実装ベースに固定されている箇所の冷却液封入部の内側に、前記冷却液側に突出するヒートパイプが設けられていることを特徴とする請求項１〜５のいずれかに記載のＬＥＤ照明装置。
【請求項７】
更に、前記ＬＥＤ発光素子又はＬＥＤ実装ベース又はそれらの近傍に設けられた温度センサと、該温度センサの検出値に基づき、前記ＬＥＤ発光素子に供給する電流を調節する電流調節手段と、を備えることを特徴とする請求項１〜６のいずれかに記載のＬＥＤ照明装置。
【請求項８】
更に、前記ＬＥＤ発光素子又はＬＥＤ実装ベース又はそれらの近傍に設けられた温度センサと、該温度センサの検出値に基づき、前記ＬＥＤ発光素子を点滅させる点滅制御手段と、を備えることを特徴とする請求項１〜６のいずれかに記載のＬＥＤ照明装置。
【請求項９】
前記冷却液封入部の内部に、前記ＬＥＤ発光素子を駆動させるための電気回路の少なくとも一部が収納されていることを特徴とする請求項１〜８のいずれかに記載のＬＥＤ照明装置。
【手続補正２】
【補正対象書類名】明細書
【補正対象項目名】００４３
【補正方法】変更
【補正の内容】
【００４３】
１０…発光部
１１…ＬＥＤ実装ベース
１２…ＬＥＤ実装基板
１３…ＬＥＤ発光素子
１４…バリア
１５…突起部
１５ａ…シール材
１６…フィン
１７…ピン状突起物
１８…ヒートパイプ
１９…反射鏡
２０…放熱兼電装部
２１…放熱フィン
２２…電子回路収納部
２３…コア部
２４…冷却液
２５…内部空間
３０…上部封止体
３２…封止体
３３…金属部材
３４…金具
３５…吊り下げ金具
３６…冷却液膨張吸収用凹部
４０…発光部
４４…バリア
５１…放熱フィン
５２…冷却液封入部
５３…電子回路実装部
５４…下面カバー
【国際調査報告】
2011055659.tif 000013
2011055659.tif 000014
2011055659.tif 000015